(57)【要約】【課題】  ユーザが要求する情報を収集して提供するサービスの利便性を向上させる。【解決手段】  固定画像要求部４３は、情報資源システム３０に対して定期的に固定画像を要求する。情報資源システム３０から取得した固定画像は、固定画像保持部４４に保持される。移動機４から情報資源システム３０への接続要求を受け取ると、輻輳状態管理部４２は、無線端末５ａ〜５ｃの使用状況を調べる。１台以上の無線端末５ａ〜５ｃが未使用状態であれば、移動機４をその中の任意の未使用無線端末に接続する。すべての無線端末５ａ〜５ｃが使用中であれば、固定画像保持部４４に保持されている固定画像を移動機４へ送信する。【選択図】図８
2006101039.tif 000002
【特許請求の範囲】
【請求項１】
無線通信システムにおいてユーザ端末を収容する基地局装置であって、
情報提供装置を特定する接続先情報とその情報提供装置に付与されている電話番号とを対応づけて格納する格納手段と、
上記ユーザ端末からの信号に基づいてそのユーザ端末のユーザが要求するサービスを検出する検出手段と、
上記ユーザが予め決められた所定のサービスを要求しているときに、上記ユーザ端末から受信した接続要求に含まれている接続先情報を上記格納手段を参照して対応する電話番号に変換する変換手段と、
上記変換により得られた電話番号を無線ネットワーク制御装置に送信することにより、上記ユーザ端末と上記情報提供装置とを接続する呼処理手段、
を有する基地局装置。
【請求項２】
無線通信システムにおいて情報資源システムを収容する基地局装置であって、
上記情報資源システムの輻輳状態を管理する管理手段と、
上記情報資源システムが提供する情報資源に関連する補助資源を保持する保持手段と、
ユーザ端末から上記情報資源システムへの接続要求があったときに、上記情報資源システムが輻輳していなければ上記ユーザ端末を上記情報資源システムに接続し、上記情報資源システムが輻輳状態であれば上記保持手段に保持されている補助資源を上記ユーザ端末に提供する応答手段、
を有する基地局装置。
【請求項３】
請求項２に記載の基地局装置であって、
上記情報資源システムは、動画像データを出力するカメラを備えており、
上記保持手段に保持される補助情報は、上記動画像データに対応する静止画像データである。
【請求項４】
請求項２に記載の基地局装置であって、
上記情報資源システムに対して定期的に上記補助資源を要求する要求手段をさらに備える。
【請求項５】
請求項２に記載の基地局装置であって、
上記情報資源システムは、上記情報資源を送信するための互いに異なる電話番号が付与された第１の端末装置および第２の端末装置を備えており、
上記応答手段は、ユーザ端末から上記第１の端末装置への接続要求があったときに、その第１の端末装置が使用中であれば上記ユーザ端末を上記第２の端末装置に接続する。
【発明の詳細な説明】
【技術分野】
【０００１】
本発明は、無線通信システムを利用してユーザから要求された情報を収集して提供する情報収集システムおよびそのために使用される基地局装置に係わる。
【背景技術】
【０００２】
従来より、所望の地域の情報（例えば、天気、道路の混雑状況など）を入手する手法は公知であった。しかし、文字情報やラジオ等の音声情報では、目的地の状況を的確に把握できないことが多かった。
【０００３】
これに対して近年では、通信回線の高速化に伴い、所望の地域に設置されているカメラにより撮影される動画像をリアルタイムで入手することも可能になっている（例えば、特許文献１〜４）。
【０００４】
しかし、従来の技術においては、ユーザが接続先の映像提供装置にアクセスするための情報（電話番号またはアドレスなど）を認識している必要があった。あるいは、ユーザと映像提供装置とを接続するために専用のサーバコンピュータ等を設ける必要があった。さらに、特定の映像提供装置にアクセスが集中して輻輳状態が生じたときは、映像を提供できなくなることがあった。
【０００５】
なお、これらの問題は、動画像をリアルタイムで収集して提供するサービスにおいてのみ生じるものではなく、各種情報を収集して提供サービスにおいて広く発生し得るものである。
【特許文献１】特開平１０−６６０５８号公報
【特許文献２】特開平１１−１４４１９２号公報
【特許文献３】特開２００１−１５５２８９号公報
【特許文献４】特開２００４−３８８６６号公報
【発明の開示】
【発明が解決しようとする課題】
【０００６】
本発明の目的は、ユーザが要求する情報を収集して提供するサービスの利便性を向上させることである。特に、専用装置を設けることなく、ユーザが情報提供装置にアクセスするための情報を知らなくてもその情報提供装置にアクセスできるようにすることを１つの具体的な目的とする。また、情報提供装置が輻輳したときであっても、ユーザに対応する情報を提供できるようにすることを他の１つの具体的な目的とする。
【課題を解決するための手段】
【０００７】
本発明の基地局装置は、無線通信システムにおいてユーザ端末を収容し、情報提供装置を特定する接続先情報とその情報提供装置に付与されている電話番号とを対応づけて格納する格納手段と、上記ユーザ端末からの信号に基づいてそのユーザ端末のユーザが要求するサービスを検出する検出手段と、上記ユーザが予め決められた所定のサービスを要求しているときに、上記ユーザ端末から受信した接続要求に含まれている接続先情報を上記格納手段を参照して対応する電話番号に変換する変換手段と、上記変換により得られた電話番号を無線ネットワーク制御装置に送信することにより、上記ユーザ端末と上記情報提供装置とを接続する呼処理手段、を有する。
【０００８】
この発明によれば、基地局装置において、接続要求に含まれている接続先情報が対応する電話番号に自動的に変換される。
本発明の他の態様の基地局装置は、無線通信システムにおいて情報資源システムを収容し、上記情報資源システムの輻輳状態を管理する管理手段と、上記情報資源システムが提供する情報資源に関連する補助資源を保持する保持手段と、ユーザ端末から上記情報資源システムへの接続要求があったときに、上記情報資源システムが輻輳していなければ上記ユーザ端末を上記情報資源システムに接続し、上記情報資源システムが輻輳状態であれば上記保持手段に保持されている補助資源を上記ユーザ端末に提供する応答手段、を有する。
【０００９】
この発明によれば、情報資源システムの輻輳状態は、その情報資源システムを収容する基地局装置により管理される。そして、ユーザ端末から接続要求があったときに情報資源システムが輻輳状態であれば、情報資源システムが提供すべき情報資源の代わりに、基地局装置によりその情報資源に対応する補助資源がユーザ端末に提供される。
【発明の効果】
【００１０】
本発明の一態様によれば、接続先情報が基地局装置により電話番号に変換されるので、ユーザは、アクセスすべき情報提供装置の電話番号を知らなくても、その情報提供装置に接続することができる。
【００１１】
また、本発明の他の態様によれば、情報資源システムが輻輳しているときであっても、補助資源が得られるので、輻輳によって何も情報が得られないというような事態を回避できる。
【００１２】
これらにより、ユーザが要求する情報を収集して提供するサービスの利便性が向上することになる。
【発明を実施するための最良の形態】
【００１３】
本発明は、ユーザからの要求に応じて情報（または、情報資源）を提供するサービスに係わる。以下では、このサービスの一例として、ユーザが要求する動画像を収集してリアルタイムで提供するサービスを採り上げる。
【００１４】
図１は、本発明に係わる無線通信システムの構成図である。ここでは、無線通信システムの一形態として、Ｗ−ＣＤＭＡ（Wideband-Code Division Multiple Access）移動通信システムを採り上げる。なお、本発明は、Ｗ−ＣＤＭＡ移動通信システムに限定されるものではない。
【００１５】
コアネットワーク（ＣＮ：Core Network）１は、交換局、ホームロケーションレジスタ、サービス制御局等を含み、回線交換機能及びパケット交換機能を提供する。そして、コアネットワーク１には、多数の無線ネットワーク制御装置（ＲＮＣ：Radio Network Controller）２が接続されている。
【００１６】
無線ネットワーク制御装置２は、制御信号を処理する機能、Ｏ＆Ｍ機能、共通チャネル多重分離機能、ＡＴＭスイッチング機能、ハンドオーバ機能などを有し、無線回線の回線接続制御、ハンドオーバの制御等を行う。そして、無線ネットワーク制御装置２には、１または複数の無線基地局装置（ＢＴＳ：Base Transceiver Station）３が接続される。
【００１７】
無線基地局装置３（３Ａ、３Ｂ）は、無線ネットワーク制御装置２との間で呼制御信号を送受信し、無線回線の管理および無線回線の設定／開放などを行う。また、無線基地局装置３は、移動機（ＵＥ：User Equipment）４、あるいは無線端末５を収容する。
【００１８】
移動機４は、高速データ伝送が可能なユーザ端末であり、無線回線を介して無線基地局装置３との間で信号を送受信する。無線端末５は、動画像を提供する情報提供装置の一部であり、無線回線を介して無線基地局装置３との間で信号を送受信する。また、無線端末５は、動画像データを出力するカメラ６に接続されており、移動機４からの要求に応じてその動画像データを送信する。サーバ７は、カメラ６が設置されている場所の地名とそのカメラ６に接続されている無線端末５の電話番号との対応関係を管理するサーバコンピュータであり、例えば、動画像収集／提供サービスを提供する事業者により運営される。
【００１９】
なお、図１においては、カメラ６が１台だけ描かれているが、実際には、多数のカメラがそれぞれ異なる地域に設置されているものとする。そして、各カメラにはそれぞれ無線端末が接続されており、ユーザからの要求に応じて各カメラが出力する動画像データが送信されるものとする。なお、無線端末５およびカメラ６は、１つの装置の中に設けられる構成であってもよい。
【００２０】
上記システムにおいて、移動機４は、カメラ６からの動画像を取得する際には、個別チャネル（ＤＣＣＨ：Dedicated Control Channel ）を利用して接続要求を無線基地局装置３へ送信する。ここで、この接続要求には、動画像収集／提供サービスを受けたい旨を表示するサービス情報、および取得したい動画像を提供する情報提供装置を特定する接続先情報が設定される。なお、接続先情報は、カメラ６に接続されている無線端末５を直接的に指定する情報（例えば、無線端末５の電話番号）ではなく、カメラ６が設置されている場所の地名を表示する情報である。
【００２１】
無線基地局装置３（ここでは、無線基地局装置３Ａ）は、上記接続要求を受信すると、サービス情報を検出する。このとき、そのサービス情報が動画像収集／提供サービスを受けたい旨を表示していた場合には、接続先情報として設定されている「地名」を対応する電話番号に変換する。これにより、無線端末５の電話番号が得られる。そして、無線基地局装置３は、個別チャネルＤＣＣＨの接続先番号として無線端末５の電話番号を設定し、その接続先番号を無線ネットワーク制御装置２へ通知する。
【００２２】
コアネットワーク１は、指定された無線端末５との間の呼接続を確立する。そして、無線端末５は、カメラ６から出力される動画像データを移動機４へ送信する。これにより、移動機４は、カメラ６が出力する動画像データをリアルタイムで取得できる。
【００２３】
このように、移動機４のユーザは、動画像を取得したい地域の「地名」を指定することにより、所望の地域の動画像をリアルタイムで取得できる。すなわち、「地名」を電話番号に変換する機能を無線基地局装置３に持たせたので、ユーザは、カメラ６に接続する無線端末５の電話番号を意識することなく、所望のカメラからの動画像をリアルタイムで取得することができる。
【００２４】
図２は、移動機４が動画像収集／提供サービスを受ける際の手順を示す図である。ここでは、移動機４、無線基地局装置３、無線ネットワーク制御装置２により送受信される信号を示す。
【００２５】
まず、移動機４は、ＰＲＡＣＨ（Physical Random Access Channel）信号を利用して無線ネットワーク制御装置２へ接続要求（RRC Connection Request）を送信する。このＰＲＡＣＨ信号は、図３に示すフォーマットであり、所定のスロットに格納されるデータとして、動画像収集／提供サービスを受けたい旨を表示する値（例えば、0x3FF(hex)）が設定されている。なお、無線基地局装置３は、このＰＲＡＣＨ信号により移動機４が動画像収集／提供サービスを要求していることを認識できる。
【００２６】
無線ネットワーク制御装置２は、上述の接続要求を受け取ると、無線基地局装置３に対して個別チャネルＤＣＣＨを設定するためのメッセージを送信し、無線基地局装置３は、それに対する応答メッセージを返送する。続いて、無線ネットワーク制御装置２は、ＦＡＣＨ（Forward Access Channel）を利用して移動機４に対して個別チャネルＤＣＣＨを設定するためのメッセージ（RRC Connection Setup）を送信し、移動機４は、個別チャネルＤＣＣＨを利用して対応する応答メッセージ（RRC Connection Setup Comp ）を返送する。さらに、移動機４は、個別チャネルＤＣＣＨを利用して無線ネットワーク制御装置２と相手端末との間の制御コネクションの設定要求（CM Service Request）を送信する。
【００２７】
秘匿／認証手順が実行された後、移動機４は、個別チャネルＤＣＣＨを利用して着信側へ呼設定を要求するメッセージ（CC:Setup）を送信する。このメッセージには、接続先情報として、動画像を取得したい地域の「地名」が設定されている。そして、無線基地局装置３は、このメッセージをいったん捕捉する。このとき、無線基地局装置３は、移動機４が動画像収集／提供サービスを要求していることを認識している場合には、このメッセージに設定されている「地名」を対応する電話番号に変換して無線ネットワーク制御装置２へ転送する。
【００２８】
無線ネットワーク制御装置２は、着信側からの呼設定受付通知（CC:CALL PROCEEDING）を移動機４に返送する。この後、ベアラ設定手順が実行される。
更に、着信側からの呼出中通知（CC:ALERTING）及び応答通知（CC:CONNECT）が移動機４に送られる。そして、移動機４は応答確認（CC:CONN ACK）を返送する。これにより、移動機４と相手端末（図１に示す例では、無線端末５）との間にコネクションが確立され、そのコネクションを介してカメラ６が出力する動画像データが移動機４へ送信される。
【００２９】
図４は、無線基地局装置３の構成図である。ここでは、図１に示す移動機４を収容する無線基地局装置３Ａが描かれている。
送受信増幅部１１は、移動機あるいは無線端末へ送信すべき信号を増幅する送信電力増幅器、および受信信号を増幅する低雑音増幅器を備える。ベースバンド処理部１２は、送信信号について誤り訂正符号化、フレーム化、データ変調、拡散変調などを行う送信ユニット、および受信信号について逆拡散、チップ同期、誤り訂正復号、データの多重分離、ハンドオーバ時の信号処理などを行う受信ユニットを備える。なお、図４において、ベースバンド処理部１２は、Ａ／Ｄ変換器およびＤ／Ａ変換器を含んでいる。上位ＩＦ部１３は、無線ネットワーク制御装置２との間で送受信される信号を処理する。なお、無線基地局装置３と無線ネットワーク制御装置２との間は、例えば、ＡＴＭ伝送路である。制御部１４は、無線ネットワーク制御装置２との間で呼制御信号の送受信を行い、無線回線の管理、無線回線の設定／開放などを行う。
【００３０】
接続先判断部２１は、移動機４からの接続要求を解析し、移動機４が通常サービス（ＡＶ、ＰＫＴ、ＡＭＲなど）を要求しているのか、或いは本発明に係わる動画像収集／提供サービスを要求しているのかを判断する。そして、移動機４が通常サービスを要求しているときは、受信した接続要求を上位ＩＦ部１３へ転送する。一方、移動機４が動画像収集／提供サービスを要求しているときは、受信した接続要求に設定されている「地名」を検索キーとして電話番号格納部２２をサーチし、対応する電話番号を取得する。
【００３１】
図５は、電話番号格納部２２の実施例である。電話番号格納部２２には、動画像収集／提供サービスのためのカメラが設置されている場所の「地名（実際は、所定ビット数の地域コード）」に対応づけて、各カメラに接続されている無線端末の電話番号が登録されている。たとえば、図１に示すカメラ６が「新宿」に設置されているものとすると、そのカメラ６に接続する無線端末５の電話番号が「aaa-bbb-cc01」であることを示している。なお、電話番号格納部２２に情報を登録する手順については、後述する。
【００３２】
電話番号設定部２３は、移動機４から受信した接続要求に電話番号格納部２２から抽出した「電話番号」を設定し、それを上位ＩＦ部１３に渡す。これにより、移動機４からの接続要求に設定されていた「地名」に対応する電話番号を持った端末に対する呼接続処理が行われる。
【００３３】
なお、接続先判断部２１、電話番号格納部２２、電話番号設定部２３は、制御部１４の一部として実現されてもよいし、制御部１４とは独立して実現されるようにしてもよい。また、電話番号格納部２２は、例えば、ＲＡＭ上に形成される。さらに、接続先判断部２１および電話番号設定部２３は、ハードウェアで実現してもよいし、ソフトウェアで実現してもよいし、ハードウェア／ソフトウェアの組合せで実現してもよい。
【００３４】
図６は、電話番号格納部２２に情報を登録する手順を示す図である。ここでは、動画像収集／提供サービスのためのカメラが新たに設置された場合について説明する。
新たに設置されたカメラに接続されている地域情報収集端末（例えば、図１に示す無線端末５）は、ＰＲＡＣＨ信号を最寄りの無線基地局装置３に送信する。このＰＲＡＣＨ信号には、当該端末が地域情報収集カメラ用の端末であることを表示する識別情報、および当該端末の電話番号情報が乗せられている。
【００３５】
無線基地局装置３は、受信したＰＲＡＣＨ信号から取り出した情報をサーバ７へ送信する。サーバ７は、地域情報収集端末の電話番号を登録すると共に、その電話番号とその地域情報収集端末が設置されている場所の「地名」とのリンクを作成する。そして、サーバ７は、そのリンク情報をすべての無線基地局装置３へ送信する。これにより、各無線基地局装置３の電話番号格納部２２には、カメラが設置されている場所の「地名」とそのカメラに接続されている無線端末の電話番号とのリンク情報が登録される。なお、サーバ７のコンテンツは、動画像収集／提供サービスを提供する事業者により公開される。
【００３６】
特に図示しないが、地域情報収集端末が削除されたとき、或いは地域情報収集端末の電話番号が変更されたとき等は、その旨がサーバ７に通知される。そして、サーバ７から各無線基地局装置３への指示により、それぞれ、電話番号格納部２２が更新される。
【００３７】
ユーザは、動画像収集／提供サービスを受ける際には、例えば、移動機４を用いてサーバ７にアクセスする。そうすると、動画像収集／提供サービスのためのカメラが設置されている全地名のリストが移動機４に表示される。そして、ユーザがそのリストの中から所望の地名を選択すると、移動機４は、自動的に接続要求を作成して最寄りの無線基地局装置３へ送信する。このとき、この接続要求には、ユーザにより選択された「地名」が設定される。これにより、移動機４には、ユーザにより選択された「地名」に対応する地域に設置されているカメラからのリアルタイム画像が送られてくることになる。
【００３８】
このように、移動機４のユーザは、地域情報収集端末の電話番号を意識することなく、所望の地域のリアルタイム画像を収集することができる。このとき、接続先の地域情報収集端末の電話番号は無線基地局装置３に格納されており、接続要求を受け取った無線基地局装置３が即座に呼接続処理を実行することができる。したがって、本発明の手順によれば、（１）移動機４がサーバ７から地域情報収集端末の電話番号を取得し、移動機４からその地域情報収集端末へ発呼する形態、（２）移動機４からの依頼に従ってサーバ７が指定された地域情報収集端末へ発呼する形態と比較して、移動機４はより短い待ち時間でリアルタイム画像を取得できる。
【００３９】
図７は、本発明の他の実施形態の無線通信システムの構成図である。ここで、コアネットワーク１、無線ネットワーク制御装置２、カメラ６は、図１を参照しながら説明した通りである。また、複数の移動機４ａ〜４ｄは、それぞれ移動機４と同じであり、複数の無線端末５ａ〜５ｃは、それぞれ無線端末５と同じである。ただし、複数の無線端末５ａ〜５ｃには、互いに異なる電話番号が付与されている。
【００４０】
情報資源システム３０は、無線端末５ａ〜５ｃ、無線端末３１、カメラ６を備え、ユーザから要求された情報資源を提供する。この例では、情報資源として、カメラ６が出力する動画像データが提供される。また、カメラ６には、３台の無線端末５ａ〜５ｃが接続されており、情報資源システム３０は３ユーザに対して同一の動画像を並列に提供することができる。
【００４１】
無線端末３１は、最寄りの無線基地局装置３（図７では、無線基地局装置３Ｂ）からの要求に応じて、情報資源システム３０が提供すべき情報資源に関連する補助資源を送信する。補助資源は、例えば、カメラ６が出力する動画像をキャプチャすることにより得られる固定画像（すなわち、静止画像）データである。
【００４２】
尚、無線基地局装置３は、報知チャネル（ＰＣＣＰＣＨ：Primary Common Channel Physical Channel ）を利用して情報資源システム３０に対して定期的に補助資源を要求する。情報資源システム３０の無線端末３１は、この要求を受け取ると、カメラ６が出力する動画像をキャプチャすることにより固定画像を生成する。そして、高速パケットデータ用共通チャネル（ＰＣＰＣＨ：Physical Common Packet Channel）を利用してその固定画像を無線基地局装置３に送信する。これにより、無線基地局装置３は、情報資源システム３０から定期的に固定画像を取得することができる。
【００４３】
上記システムにおいてカメラ６からの動画像を取得する際の手順は、基本的には、図１を参照しながら説明した通りである。すなわち、移動機４ａ〜４ｄは、無線基地局装置３へ接続要求を送信する。そして、コアネットワーク１は、情報資源システム３０との間の呼接続を開始する。
【００４４】
このとき、情報資源システム３０を収容する無線基地局装置３（図７に示す例では、無線基地局装置３Ｂ）は、情報資源システム３０の輻輳状態を調べる。すなわち、無線端末５ａ〜５ｃの使用状況を調べる。そして、無線端末５ａ〜５ｃのうちの１台以上が未使用状態であれば、動画像収集／提供サービスを要求している移動機と任意の未使用の無線端末とを接続する。これにより、カメラ６が出力する動画像が移動機に提供される。
【００４５】
一方、無線端末５ａ〜５ｃのすべてが使用中であったときは、無線基地局装置３は、情報資源システム３０から予め取得してある固定画像を移動機へ送信する。この場合、動画像収集／提供サービスを要求した移動機は、動画像を得ることができないものの、その動画像に対応する固定画像を得ることができる。すなわち、情報資源システム３０が輻輳していても、何も情報が得られないという状況は回避される。
【００４６】
図８は、他の実施形態における無線基地局装置３の構成図である。ここでは、図７に示す情報資源システム３０を収容する無線基地局装置３Ｂが描かれている。
接続先判断部４１は、無線ネットワーク制御装置２から通知された接続先が情報資源システム３０であるか否かを調べる。そして、その接続先が情報資源システム３０でない場合は、通常の呼処理を実行する。一方、その接続先が情報資源システム３０であった場合は、輻輳状態管理部４２に処理を渡す。
【００４７】
輻輳状態管理部４２は、図９に示す輻輳管理テーブルを備え、無線端末５ａ〜５ｃの使用状況を管理する。すなわち、無線端末５ａ〜５ｃに新たな呼を接続すると、対応する状態フラグを「未使用」から「使用中」に変更し、無線端末５ａ〜５ｃの通信が終了して呼を開放すると、対応する状態フラグを「使用中」から「未使用」に変更する。そして、輻輳状態管理部４２は、未使用状態の無線端末が存在する場合には、その中の任意の１つの電話番号を選択して接続先判断部４１に通知する。これにより、その選択された電話番号の無線端末が呼び出され、その無線端末から動画像が送信される。一方、未使用状態の無線端末が存在しない場合には、輻輳状態管理部４２は、輻輳が発生している旨を固定画像保持部４４に通知する。
【００４８】
固定画像要求部４３は、定期的に、報知チャネルＰＣＣＰＣＨを利用して、情報資源システム３０の無線端末３１に固定画像を要求する。このとき、無線端末３１は、この要求を受け取ると、高速パケットデータ用共通チャネルＰＣＰＣＨを利用して、カメラ６が出力する動画像をキャプチャすることにより得られる固定画像を無線基地局装置３に送信する。
【００４９】
固定画像保持部４４は、無線端末３１から送信された最新の固定画像を保持している。そして、輻輳状態管理部４２から輻輳が発生している旨の通知を受け取ると、固定画像保持部４４は、その保持している固定画像を上位ＩＦ部１３に転送する。これにより、上位ＩＦ部１３は、動画像収集／提供サービスを要求した移動機に対してその固定画像を送信する。
【００５０】
このように、移動機４ａ〜４ｄは、情報資源システム３０が輻輳していなければ、カメラ６が出力する動画像をリアルタイムで取得できる。一方、情報資源システム３０が輻輳していた場合には、動画像を得ることができないものの、その動画像に対応する固定画像を得ることができる。
【００５１】
なお、接続先判断部４１、輻輳状態管理部４２、固定画像要求部４３、固定画像保持部４４は、制御部１４の一部として実現されてもよいし、制御部１４とは独立して実現されるようにしてもよい。また、接続先判断部４１、輻輳状態管理部４２、固定画像要求部４３は、ハードウェアで実現してもよいし、ソフトウェアで実現してもよいし、ハードウェア／ソフトウェアの組合せで実現してもよい。さらに、固定画像保持部４４は、書き換え可能な記憶領域を備えている。
【００５２】
図１０は、図８に示す無線基地局装置３の着呼時の動作を示すフローチャートである。なお、このフローチャートに示す処理は、接続先判断部４１、輻輳状態管理部４２、固定画像保持部４４により実行される。
【００５３】
ステップＳ１では、着呼により呼び出された電話番号が、動画像収集／提供サービスの電話番号であるか否かを調べる。そして、動画像収集／提供サービスの電話番号でなければ、ステップＳ１１において、通常の呼処理を実行する。
【００５４】
ステップＳ２では、図９に示す輻輳管理テーブルを参照し、呼び出された電話番号が使用中であるか否かを調べる。そして、その電話番号が未使用であれば、ステップＳ２１において、動画像収集／提供サービスを要求している移動機を、その電話番号が付与されている無線端末に接続する。さらに、ステップＳ２２において、輻輳管理テーブルの対応する状態フラグを「未使用」から「使用中」に更新する。
【００５５】
呼び出された電話番号が使用中であれば、ステップＳ３において、輻輳管理テーブルを参照し、他に未使用の無線端末が存在するか否かを調べる。そして、他に未使用の無線端末が存在するときは、ステップＳ３１において、動画像収集／提供サービスを要求している移動機を、未使用状態の無線端末の中の任意の１台に接続する。さらに、ステップＳ３２において、輻輳管理テーブルの対応する状態フラグを「未使用」から「使用中」に更新する。
【００５６】
未使用の無線端末が存在しない場合は、情報資源システム３０が輻輳状態であるものとみなし、ステップＳ４の処理を実行する。ステップＳ４では、固定画像保持部４４に保持してある固定画像を、動画像収集／提供サービスを要求している移動機へ送信する。
【００５７】
なお、特に図示しないが、移動機４（４ａ〜４ｄ）と情報資源システム３０との間の回線が終了すると、輻輳管理テーブルの対応する状態フラグが「使用中」から「未使用」に更新される。
【００５８】
図７を参照しながら具体例を示す。ここでは、現在、移動機４ａが無線端末５ａを介して動画像を受信しているものとする。また、無線端末５ｂ、５ｃは、未使用状態であるものとする。なお、図７では、移動機４ａ〜４ｄが同一の無線基地局装置３Ａに収容されているが、これらの移動機は互いに異なる無線基地局に収容されていてもよい。
【００５９】
このような状況において移動機４ｂから無線端末５ｂへの接続要求を受信すると、無線基地局装置３Ｂは、移動機４ｂを無線端末５ｂに接続する。これにより、移動機４ｂは、カメラ６が出力する動画像をリアルタイムで受信できる。
【００６０】
続いて、移動機４ｃから無線端末５ａへの接続要求を受信すると、無線基地局装置３Ｂは、着信先の電話番号を無線端末５ａから無線端末５ｃに変換してページングを行う。これにより、移動機４ｃは無線端末５ｃに接続される。すなわち、移動機４ｃは、無線端末５ｃを介してカメラ６が出力する動画像をリアスタイムで受信する。このように、移動機４ｃは、無線端末５ａ〜５ｃの使用状況を意識することなく、動画像収集／提供サービスを受けることができる。
【００６１】
さらに、すべての無線端末５ａ〜５ｃが使用中である期間に、移動機４ｄからから無線端末５ａへの接続要求を受信すると、無線基地局装置３Ｂは、予め情報資源システム３０から取得してある固定画像を移動機４ｄに送信する。
【００６２】
なお、本発明に係わるシステムは、上述の実施例に限定されるものではなく、下記の態様にも適用可能である。
（１）地域情報収集カメラを自宅に取り付け、外出先でそのカメラの画像を取得できるようにすることで、セキュリティシステムとして利用する。
（２）地域情報収集カメラをスポーツ実況、演劇、音楽コンサート等のために使用する。これにより、テレビに代わる媒体としての役割を担うことができる。
（３）地域情報収集カメラを小型化して個人向けに販売することにより、個人情報を発信するシステムとして利用する。これにより、個人が低コストでサービス局を開設することができる。
（４）災害または天災時に現場の被害状況を一斉に同報で移動機に対して配信することができる。
（５）本発明は、カメラで撮影したリアルタイム画像を収集して提供するサービスに限定されるものではなく、他のサービスにも適用可能である。
【００６３】
（付記１）無線通信システムにおいてユーザ端末を収容する基地局装置であって、
情報提供装置を特定する接続先情報とその情報提供装置に付与されている電話番号とを対応づけて格納する格納手段と、
上記ユーザ端末からの信号に基づいてそのユーザ端末のユーザが要求するサービスを検出する検出手段と、
上記ユーザが予め決められた所定のサービスを要求しているときに、上記ユーザ端末から受信した接続要求に含まれている接続先情報を上記格納手段を参照して対応する電話番号に変換する変換手段と、
上記変換により得られた電話番号を無線ネットワーク制御装置に送信することにより、上記ユーザ端末と上記情報提供装置とを接続する呼処理手段、
を有する基地局装置。
【００６４】
（付記２）付記１に記載の基地局装置であって、
上記情報提供装置は、動画像データを出力するカメラを備えており、
上記接続先情報は、上記カメラが設置されている場所の地名を表す情報である。
【００６５】
（付記３）付記１に記載の基地局装置であって、
上記格納手段は、当該無線通信システムに新たな情報提供装置が接続されたとき或いは当該無線通信システムから既存の情報提供装置が削除されたときに更新される。
【００６６】
（付記４）無線通信システムにおいて情報資源システムを収容する基地局装置であって、
上記情報資源システムの輻輳状態を管理する管理手段と、
上記情報資源システムが提供する情報資源に関連する補助資源を保持する保持手段と、
ユーザ端末から上記情報資源システムへの接続要求があったときに、上記情報資源システムが輻輳していなければ上記ユーザ端末を上記情報資源システムに接続し、上記情報資源システムが輻輳状態であれば上記保持手段に保持されている補助資源を上記ユーザ端末に提供する応答手段、
を有する基地局装置。
【００６７】
（付記５）付記４に記載の基地局装置であって、
上記情報資源システムは、動画像データを出力するカメラを備えており、
上記保持手段に保持される補助情報は、上記動画像データに対応する静止画像データである。
【００６８】
（付記６）付記４に記載の基地局装置であって、
上記情報資源システムに対して定期的に上記補助資源を要求する要求手段をさらに備える。
【００６９】
（付記７）付記４に記載の基地局装置であって、
上記情報資源システムは、上記情報資源を送信するための互いに異なる電話番号が付与された第１の端末装置および第２の端末装置を備えており、
上記応答手段は、ユーザ端末から上記第１の端末装置への接続要求があったときに、その第１の端末装置が使用中であれば上記ユーザ端末を上記第２の端末装置に接続する。
【図面の簡単な説明】
【００７０】
【図１】本発明に係わる無線通信システムの構成図である。
【図２】移動機が動画像収集／提供サービスを受ける際の手順を示す図である。
【図３】ＰＲＡＣＨ信号のデータフォーマットを示す図である。
【図４】無線基地局装置の構成図である。
【図５】電話番号格納部の実施例である。
【図６】電話番号格納部に情報を登録する手順を示す図である。
【図７】本発明の他の実施形態の無線通信システムの構成図である。
【図８】他の実施形態における無線基地局装置の構成図である。
【図９】輻輳管理テーブルの例である。
【図１０】図８に示す無線基地局装置の着呼時の動作を示すフローチャートである。
【符号の説明】
【００７１】
１      コアネットワーク（ＣＮ）
２      無線ネットワーク制御装置（ＲＮＣ）
３（３Ａ、３Ｂ）  無線基地局装置（ＢＴＳ）
４（４ａ〜４ｄ）  移動機（ＵＥ）
５（５ａ〜５ｃ）  無線端末
６      カメラ
７      サーバ
１１    送受信増幅部
１２    ベースバンド処理部
１３    上位ＩＦ部
１４    制御部
２１    接続先判断部
２２    電話番号格納部
２３    電話番号設定部
３０    情報資源システム
３１    無線端末
４１    接続先判断部
４２    輻輳状態管理部
４３    固定画像要求部
４４    固定画像保持部
【図１】
2006101039.tif 000003
【図２】
2006101039.tif 000004
【図３】
2006101039.tif 000005
【図４】
2006101039.tif 000006
【図５】
2006101039.tif 000007
【図６】
2006101039.tif 000008
【図７】
2006101039.tif 000009
【図８】
2006101039.tif 000010
【図９】
2006101039.tif 000011
【図１０】
2006101039.tif 000012